(57)【要約】【課題】通常動作の途中でも吸気用のフィルタを清掃することが可能な電子機器を提供する。【解決手段】ファン制御部は、プロジェクタ１の通常動作中に、制御部からフィルタの清掃の指示を受けると、まず、吸気ファン３１の回転を停止させて吸気口５からの空気の吸入を弱め、その後にクリーニングブロア３５を回転させてフィルタ清掃を開始する。この結果、排気流路７ｂを流れる空気（排気）や外部の空気が、クリーニングブロア３５の吸気口３５ａに吸入されて、その排気口３５ｂからフィルタ４１に向けて吹き付けられる。これにより、フィルタ４１の外面に蓄積していた塵埃は、吸気口５の外側に飛散する。ファン制御部は、クリーニングブロア３５を所定時間（例えば、１０秒程度）回転させた後にこれを停止させる。その後、吸気ファン３１を回転させて通常動作状態に復帰させる。【選択図】図３
2008170666.tif 000002
【特許請求の範囲】
【請求項１】
外装を構成する筐体と、
前記筐体内に存在する高温部を冷却するための空気を、前記筐体の外部から吸入するために設けられた吸気口と、
前記吸気口に装着され、外部からの塵埃の侵入を防ぐフィルタと、
前記筐体の内部から冷却後の空気を排出するために設けられた排気口と、
前記冷却後の空気を前記排気口から排出するために、前記筐体の内部の空気を前記排気口に向けて送る排気ファンと、
前記排気ファンにより送られて前記排気口に向かう空気の少なくとも一部を、内側から前記フィルタに吹き付けるフィルタ清掃部と、
を備えたことを特徴とする電子機器。
【請求項２】
請求項１に記載の電子機器であって、前記フィルタ清掃部は、遠心式ファン（送風機）であることを特徴とする電子機器。
【請求項３】
請求項１に記載の電子機器であって、
前記外部の空気を前記高温部に導く吸気流路と、
内部に前記排気ファンを備え、前記冷却後の空気を前記高温部から導く排気流路と、
前記吸気口と前記吸気流路とを連通させる第１の吸気ダクト、及び前記排気流路と前記排気口とを連通させる第１の排気ダクトを含む第１のダクト群と、
をさらに備え、
前記フィルタ清掃部は、
前記排気口と前記吸気流路とを連通させる第２の吸気ダクト、及び前記排気流路と前記吸気口とを連通させる第２の排気ダクトを含む第２のダクト群と、
前記第１のダクト群によって前記吸気口から前記外部の空気を吸入し、前記排気口から前記冷却後の空気を排出する状態と、前記第２のダクト群によって前記排気口から前記外部の空気を吸入し、前記吸気口から前記冷却後の空気を排出する状態とを切り換える通気切換部と、
を備えたことを特徴とする電子機器。
【発明の詳細な説明】
【技術分野】
【０００１】
本発明は、外部の空気を取り込んで機器の内部を冷却する電子機器に関する。
【背景技術】
【０００２】
外部の空気を取り込んで機器の内部を冷却し、冷却後の空気を外部に排出する電子機器は、空気を取り込む吸気口にフィルタを備え、機器の内部に塵埃が侵入するのを防いでいる。従来、時間の経過に伴ってフィルタに塵埃が蓄積されると、空気の取り込みが困難となって冷却効率が低減してしまうことから、フィルタ交換等のメンテナンス作業を定期的に行う必要があった。
特許文献１では、上記メンテナンスの頻度を低減するために、本来は外部の空気を取り込むための吸気ファンを反対方向に回転させ、吸気口に向けて内部の空気を吐き出すことにより、フィルタの外側に蓄積した塵埃を除去する方法が提案されている。
【０００３】
【特許文献１】特開２００４−６４０１０号公報
【発明の開示】
【発明が解決しようとする課題】
【０００４】
しかしながら、特許文献１に記載の方法によるフィルタの清掃（塵埃の除去）を、冷却を要する通常動作の途中に行おうとすると、ファンの回転を反転させたうえで、その回転が安定するまでに相当の時間を要してしまうため、少なくともその間は十分な冷却がなされないことになる。また、フィルタの清掃中は、機器の内部からフィルタに向けて空気が吐き出される一方で、本来冷却後の空気を排出する排気口から外部の空気が取り込まれることになり、機器内での空気の進行方向が本来の進行方向と逆転してしまうため、機器内の複数の部位を順次冷却する場合に、期待する冷却効果が得られない。
以上のことから、特許文献１に記載の方法では、通常動作の途中にフィルタの清掃を行うことは困難であり、フィルタの清掃は、通常動作の前、或いは後に行われる必要があった。このため、電子機器に電源を投入してから通常動作が可能となるまで、或いは通常動作を終えてから電源の切断が可能となるまでに時間を要してしまうという問題を有している。
【０００５】
本発明は上記問題に鑑みてなされたものであり、その目的は、通常動作の途中でも吸気用のフィルタを清掃することが可能な電子機器を提供することにある。
【課題を解決するための手段】
【０００６】
本発明の電子機器は、外装を構成する筐体と、前記筐体内に存在する高温部を冷却するための空気を、前記筐体の外部から吸入するために設けられた吸気口と、前記吸気口に装着され、外部からの塵埃の侵入を防ぐフィルタと、前記筐体の内部から冷却後の空気を排出するために設けられた排気口と、前記冷却後の空気を前記排気口から排出するために、前記筐体の内部の空気を前記排気口に向けて送る排気ファンと、前記排気ファンにより送られて前記排気口に向かう空気の少なくとも一部を、内側から前記フィルタに吹き付けるフィルタ清掃部と、を備えたことを特徴とする。
【０００７】
この電子機器によれば、排気ファンにより送られて排気口に向かう空気の少なくとも一部を、内側からフィルタに吹き付けるフィルタ清掃部を備えているため、ファンを逆回転させることなく、さらに、機器内の空気の進行方向を逆転させることなくフィルタに蓄積した塵埃を除去することが可能となる。この結果、フィルタの清掃を通常動作の途中に行うことが可能となる。
【０００８】
この電子機器において、前記フィルタ清掃部として、遠心式ファン（送風機）を用いるようにしてもよい。
【０００９】
この電子機器によれば、遠心式ファンによりフィルタに空気を吹き付けるため、軸流式ファンに比べて高い風圧で塵埃を除去することが可能となる。
【００１０】
この電子機器において、前記外部の空気を前記高温部に導く吸気流路と、内部に前記排気ファンを備え、前記冷却後の空気を前記高温部から導く排気流路と、前記吸気口と前記吸気流路とを連通させる第１の吸気ダクト、及び前記排気流路と前記排気口とを連通させる第１の排気ダクトを含む第１のダクト群と、をさらに備え、前記フィルタ清掃部は、前記排気口と前記吸気流路とを連通させる第２の吸気ダクト、及び前記排気流路と前記吸気口とを連通させる第２の排気ダクトを含む第２のダクト群と、前記第１のダクト群によって前記吸気口から前記外部の空気を吸入し、前記排気口から前記冷却後の空気を排出する状態と、前記第２のダクト群によって前記排気口から前記外部の空気を吸入し、前記吸気口から前記冷却後の空気を排出する状態とを切り換える通気切換部と、を備えるようにしてもよい。
【００１１】
この電子機器によれば、第２のダクト群に切り換えることによって吸気口から冷却後の空気が排出されるため、ファンを逆回転させることなく、さらに、機器内の空気の進行方向を逆転させることなくフィルタに蓄積した塵埃を除去することが可能となる。さらに、この電子機器によれば、フィルタを清掃するために新たなファンを備える必要がないため、清掃中のファンの回転による騒音を抑制することが可能となる。
【発明を実施するための最良の形態】
【００１２】
（第１実施形態）
以下、本発明の第１実施形態に係る電子機器について、図面を参照して説明する。
【００１３】
図１は、本実施形態の電子機器であるプロジェクタの斜視図であり、（ａ）は、前方より見た図、（ｂ）は、後方より見た図である。
図１（ａ）に示すように、プロジェクタ１は、外装を構成する筐体２によって装置本体が覆われた構成を有しており、筐体２の前面２ｆには、外部のスクリーン等に画像（画像光）を投写する投写レンズ１３が露出している。また、筐体２の上面２ｔには、プロジェクタ１に対して各種指示を行うための複数の操作ボタンを備えた操作部２２が設けられている。
【００１４】
図１（ｂ）に示すように、筐体２の背面２ｒには、外部の映像供給装置から映像信号が入力される接続端子３や、電源が入力される電源端子４が配設され、さらに、筐体２の内部を冷却するために外部の空気を吸入する吸気口５と、冷却後の空気を排出する排気口６とがそれぞれ上下に並んで配設されている。
【００１５】
図２は、プロジェクタ１の回路構成を示すブロック図である。
図２に示すように、プロジェクタ１は、映像投写部１０、制御部２０、記憶部２１、操作部２２、操作信号受信部２３、映像信号入力部２４、映像信号処理部２５、ライトバルブ駆動部２６、リモコンＲＣ、電源装置２８、吸気ファン３１、排気ファン３２、ファン制御部３３、温度センサ３４、フィルタ清掃部としてのクリーニングブロア３５等で構成されている。
【００１６】
映像投写部１０には、光源部１１、光変調装置としての液晶ライトバルブ１２、投写光学系としての投写レンズ１３等が含まれている。光源部１１は、超高圧水銀ランプやメタルハライドランプ等の放電型光源ランプを備えている。光源部１１から射出された光は、図示しないインテグレータ光学系によって輝度分布が略均一な光となり、液晶ライトバルブ１２を照明する。液晶ライトバルブ１２は、一対の透明基板間に液晶が封入された液晶パネル等によって構成され、各透明基板の内面には、液晶に対して微小領域（画素）毎に駆動電圧を印加可能な透明電極（画素電極）がマトリクス状に形成されている。
【００１７】
ライトバルブ駆動部２６が、液晶ライトバルブ１２の各画素に対して、入力される映像信号に応じた駆動電圧を印加することにより、各画素は、映像信号に応じた光透過率に設定される。つまり、光源部１１から射出された光は、この液晶ライトバルブ１２を透過することによって変調され、映像信号に応じた画像光が形成される。形成された画像光は、投写レンズ１３によってスクリーンＳＣ等に拡大投写される。
【００１８】
なお、図では省略しているが、映像投写部１０は、光の３原色である赤（Ｒ）、緑（Ｇ）、青（Ｂ）の各色光用に３つの液晶ライトバルブ１２を備えている。光源部１１から射出される光は、図示しない光分離光学系によって前記３つの色光に分離された後、それぞれ各色光用の液晶ライトバルブ１２に入射する。液晶ライトバルブ１２を透過した各色光は、図示しない光合成光学系（ダイクロイックプリズム等）によって画素毎に合成されてカラー画像を表す画像光となり、投写レンズ１３から投写される。
【００１９】
制御部２０は、ＣＰＵ（Central Processing Unit）や、各種データ等の一時記憶に用いられるＲＡＭ（Random Access Memory）等を備え、コンピュータとして機能するものである。制御部２０は、記憶部２１に記憶されている制御プログラムに従って動作することにより、プロジェクタ１の動作を統括制御する。
【００２０】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや各種データ等が記憶されている。
【００２１】
操作部２２及びリモコンＲＣは、プロジェクタ１に対して各種指示を行うための複数の操作ボタンを備えている。操作部２２及びリモコンＲＣが備える操作ボタンとしては、電源のオン・オフを行うための「電源ボタン」、各種設定を行うためのメニュー画像を表示させる「メニューボタン」、吸気口５に備わるフィルタ４１（図３参照）の清掃を指示するための「フィルタクリーニングボタン」等がある。ユーザが操作部２２の各種操作ボタンを操作すると、操作部２２は、ユーザの操作内容に応じた操作信号を制御部２０に出力する。また、ユーザがリモコンＲＣの各種操作ボタンを操作すると、リモコンＲＣは、ユーザの操作内容に応じた赤外線の操作信号を発し、操作信号受信部２３がこれを受信して制御部２０に伝達する。
【００２２】
映像信号入力部２４には、ＰＣ（パーソナルコンピュータ）や映像再生装置等、図示しない外部の映像供給装置から、各種形式の映像信号が接続端子３を介して入力される。映像信号入力部２４は、この映像信号を映像信号処理部２５で処理可能な形式の映像信号に変換し、変換後の映像信号を映像信号処理部２５に出力する。
【００２３】
映像信号処理部２５は、入力される映像信号に対して各種信号処理を施し、液晶ライトバルブ１２の各画素に印加する駆動電圧を規定するための映像データに変換した後、ライトバルブ駆動部２６に出力する。
【００２４】
ライトバルブ駆動部２６は、映像信号処理部２５から入力される映像データに基づいて液晶ライトバルブ１２を駆動する。この結果、映像データに応じた画像（画像光）が映像投写部１０から投写される。
【００２５】
電源装置２８は、電源部２８ａとバラスト部２８ｂとを含んでいる。電源部２８ａは、電源端子４を介して入力されるＡＣ１００Ｖ等の商用電源から直流の電源電圧を生成し、これを各部に供給する。バラスト部２８ｂは、電源部２８ａで生成される直流電流から交流矩形波電流を生成し、光源部１１を駆動する。
【００２６】
吸気ファン３１及び排気ファン３２は、ともに軸流式ファンにより構成され、筐体２の内部の冷却に用いられる。吸気ファン３１は、吸気口５から外部の空気を吸入し、排気ファン３２は、冷却後の空気を排気口６から外部に排出する。筐体２の内部には、冷却を要する部位、即ち、動作に伴う発熱等によって高温となる部位（高温部）が複数存在し、これら高温部は筐体２内で分散されて配置されている。このため、筐体２の内部には、各高温部が効率的に冷却されるように空気を案内する流路が形成されており、吸気口５から取り入れられた空気は、この流路に沿ってプロジェクタ１の内部を移動することにより各高温部を順次冷却し、排気口６から排出される。
【００２７】
ファン制御部３３は、吸気ファン３１及び排気ファン３２の駆動を制御するものであり、制御部２０の指示に応じて吸気ファン３１及び排気ファン３２の回転やその停止を行う。また、筐体２の内部には、高温部の温度、或いは排気温度等を検知可能な温度センサ３４が備えられており、ファン制御部３３は、温度センサ３４の検知温度が所定の温度（管理温度）を超えないように、吸気ファン３１及び排気ファン３２の回転速度を制御する。
【００２８】
クリーニングブロア３５は、遠心式ファン（シロッコファン）からなる送風機であり、吸気口５に備わるフィルタ４１（図３参照）に空気を吹き付けることにより、フィルタ４１の清掃を行う。ファン制御部３３は、このクリーニングブロア３５の駆動も制御するようになっている。
【００２９】
図３は、吸気口５及び排気口６の周辺構造を示す側断面図であり、（ａ）は、通常動作中の空気の流れを示す図であり、（ｂ）は、フィルタ清掃中の空気の流れを示す図である。ここで、通常動作中とは、映像投写部１０から映像を投写するとともに、それに伴って生じる発熱を吸気ファン３１等によって効率的に冷却する動作状態にあることを示し、フィルタ清掃中とは、映像投写部１０から映像を投写しつつ、クリーニングブロア３５によってフィルタ４１を清掃する動作状態にあることを示す。
【００３０】
図３（ａ）に示すように、吸気口５及び排気口６は、筐体２の背面２ｒに設けられ、それぞれ上下に並んで配置されている。吸気口５及び排気口６には、それぞれ複数のガイド板５ａ，６ａが備えられており、外部の空気は、ガイド板５ａ間のスリットを通って吸入され、筐体２の内部の空気は、ガイド板６ａ間のスリットを通って排出される。吸気口５のガイド板５ａは、背面２ｒ側（上流側）が上を向くように傾いており、上方、即ち吸気口５に対する排気口６の位置とは反対方向から空気を吸入する。また、排気口６のガイド板６ａは、背面２ｒ側（下流側）が下を向くように傾いており、下方、即ち排気口６に対する吸気口５の位置とは反対方向に空気を排出する。つまり、ガイド板５ａ，６ａにより、排気口６から排出された空気がそのまま吸気口５に吸入されるのが抑制されるようになっている。
【００３１】
吸気口５は、高温部に通じる吸気流路７ａと連通しており、外部の空気は、吸気流路７ａの途中に配設されている吸気ファン３１によって吸気口５から吸入され、吸気流路７ａを通って高温部に送られる。また、排気口６は、吸気流路７ａと略平行に高温部に通じる排気流路７ｂと連通しており、高温部を冷却した後の空気は、排気流路７ｂの途中に配設されている排気ファン３２によって排気流路７ｂから排気口６に送られて、外部に排出される。
【００３２】
吸気口５には、フィルタ４１が装着されており、吸気口５から取り込まれる空気に含まれる塵埃が筐体２の内部に侵入するのを防いでいる。なお、プロジェクタ１が動作していない場合等に、排気口６から塵埃が侵入するのを防ぐために、排気口６にも、フィルタ４２が装着されている。
【００３３】
クリーニングブロア３５は、吸気流路７ａと排気流路７ｂとを隔てる境界部８に備えられ、フィルタ４１の下流側で、かつ吸気ファン３１の上流側に配設されている。クリーニングブロア３５の吸気口３５ａは、境界部８に形成された開口部８ａを介して排気流路７ｂに通じており、クリーニングブロア３５の排気口３５ｂは、フィルタ４１に対して送風できるように、吸気流路７ａの上流に向いて開口している。
【００３４】
制御部２０は、ユーザにより操作部２２やリモコンＲＣのフィルタクリーニングボタンが操作された場合、或いは、前回フィルタ４１を清掃してからの累積使用時間が所定の時間を超過した場合等に、ファン制御部３３に対して、フィルタ４１の清掃を行う旨の指示を行うようになっている。ファン制御部３３は、上記指示を制御部２０から受けると、クリーニングブロア３５を回転させて清掃を開始する。なお、前回フィルタ４１を清掃してからの累積使用時間の計測は、制御部２０のカウンタ（図示せず）によって行われる。制御部２０は、通常動作を行っている時間をカウンタによって計測し、電源が切断される際には、計測結果を記憶部２１に退避して、次回の通常動作時に退避した計測結果を加算する。また、制御部２０は、フィルタ４１の清掃を行うたびに、計測した累積時間をリセットする。
【００３５】
ファン制御部３３は、プロジェクタ１の通常動作中に、制御部２０から上記指示を受けると、まず、吸気ファン３１の回転を停止させて吸気口５からの空気の吸入を弱め、その後にクリーニングブロア３５を回転させてフィルタ清掃を開始する。この結果、図３（ｂ）に示すように、排気流路７ｂを流れる空気（排気）や外部の空気が、クリーニングブロア３５の吸気口３５ａに吸入されて、その排気口３５ｂからフィルタ４１に向けて吹き付けられる。これにより、フィルタ４１の外面に蓄積していた塵埃は、吸気口５の外側に飛散する。ファン制御部３３は、クリーニングブロア３５を所定時間（例えば、１０秒程度）回転させた後にこれを停止させる。その後、吸気ファン３１を回転させて通常動作状態に復帰させ、温度センサ３４の検出温度に応じたファン制御を再開する。
【００３６】
なお、クリーニングブロア３５によるフィルタ４１の清掃中は、吸気口５から外部の空気を吸入し難い状況となるため、通常動作時に比べて冷却効率が低下する。ただし、吸気ファン３１を逆回転させる場合に比べれば、迅速に通常動作状態に復帰することができるため、その影響は小さい。また、ファン制御部３３が、制御部２０から指示を受けた後、吸気ファン３１及び排気ファン３２の回転速度を増大させ、通常より過剰な冷却を行ったうえで、フィルタ４１の清掃を開始するようにすれば、清掃中の冷却効率の低下を補うことができる。
【００３７】
以上説明したように、本実施形態のプロジェクタ１によれば、以下の効果を得ることができる。
（１）本実施形態のプロジェクタ１によれば、排気ファン３２により送られて排気口６に向かう空気の少なくとも一部を、内側からフィルタ４１に吹き付けるクリーニングブロア３５を備えているため、吸気ファン３１を逆回転させることなく、さらに、筐体２内の空気の進行方向を逆転させることなくフィルタ４１に蓄積した塵埃を除去することが可能となる。この結果、フィルタ４１の清掃を通常動作の途中に行うことが可能となる。
【００３８】
（２）本実施形態のプロジェクタ１によれば、遠心式ファン（クリーニングブロア３５）によりフィルタ４１に空気を吹き付けるため、軸流式ファンに比べて高い風圧で塵埃を除去することが可能となる。
【００３９】
（第２実施形態）
以下、本発明の第２実施形態に係るプロジェクタについて、図面を参照して説明する。
図４は、本実施形態のプロジェクタ１の吸気口５及び排気口６の周辺構造を示す側断面図である。なお、以降の図では、空気の移動方向である前後方向を±Ｙ方向、左右方向を±Ｘ方向、高さ方向を±Ｚ方向とする。
図４に示すように、本実施形態のプロジェクタ１では、吸気口５に備えられたフィルタ４１と、排気口６に備えられたフィルタ４２とは、上下に並んで配設され、吸気流路７ａに備えられた吸気ファン３１と、排気流路７ｂに備えられた排気ファン３２とは、上下に並んで配設されている。２つのフィルタ４１，４２と、２つのファン３１，３２との間の空間には、ストレートダクト５１が備えられている。
【００４０】
ストレートダクト５１は、吸気口５と吸気流路７ａを連通させる吸気ダクト５１Ａと、排気口６と排気流路７ｂとを連通させる排気ダクト５１Ｂとが一体的に形成されたものである。吸気ファン３１の作用によって吸気口５から取り入れられた空気は、フィルタ４１を通過して吸気ダクト５１Ａ内に入り、さらに吸気流路７ａに移って高温部に導かれる。また、高温部を冷却した後の空気は、排気ファン３２の作用により排気流路７ｂから排気ダクト５１Ｂ内に入り、フィルタ４２を通過して排気口６から排出される。
【００４１】
図５（ａ）、（ｂ）は、本実施形態のプロジェクタ１の部分平面図である。なお、本図では、筐体２の内部を視認可能とするために破断線を用いている。
図５（ａ）に示すように、２つのフィルタ４１，４２と２つのファン３１，３２との間に配設されたストレートダクト５１には、その右側、即ち空気の移動方向（±Ｙ方向）に対して垂直な方向（＋Ｘ方向）に、クロスダクト５２が一体的に固定されている。クロスダクト５２は、吸気口５及び排気口６と、２つの流路７ａ，７ｂとの連通状態を変更するためのダクトであり（詳しくは後述する）、ストレートダクト５１と同一の外観形状を有している。ストレートダクト５１とクロスダクト５２とは、±Ｘ方向に移動可能になっており、ストレートダクト５１に代えて、２つのフィルタ４１，４２と２つのファン３１，３２との間にクロスダクト５２を介在させることも可能になっている（図５（ｂ）参照）。
【００４２】
図６は、クロスダクト５２を示す図であり、（ａ）は、前方（ファン側）から見た正面図、（ｂ）は、側面図、（ｃ）は、背面図である。また、図７（ａ）〜（ｄ）は、それぞれ図６（ａ）におけるＡ−Ａ断面図、Ｂ−Ｂ断面図、Ｃ−Ｃ断面図、Ｄ−Ｄ断面図である。
【００４３】
図６及び図７に示すように、クロスダクト５２は、側面視でＸ字状に配設された２つのダクト（吸気ダクト５２Ａ及び排気ダクト５２Ｂ）を備えている。各ダクト５２Ａ，５２Ｂは、ファン側端面５２ｉ及びフィルタ側端面５２ｊで上下に並んで開口しており、その開口形状は略正方形である。吸気ダクト５２Ａは、ファン側端面５２ｉの上側に形成された開口部５２ｃと、フィルタ側端面５２ｊの下側に形成された開口部５２ｆとが、クロスダクト５２内の右側に形成された傾斜流路５２ｇを介して連通したものであり、排気ダクト５２Ｂは、ファン側端面５２ｉの下側に形成された開口部５２ｄと、フィルタ側端面５２ｊの上側に形成された開口部５２ｅとが、クロスダクト５２内の左側に形成された傾斜流路５２ｈを介して連通したものである。
【００４４】
各端面５２ｉ，５２ｊの上側に位置する開口部５２ｃ，５２ｅは、それぞれストレートダクト５１における吸気ダクト５１Ａの開口部５１ｃ，５１ｅ（図４参照）と開口形状及びＺ方向の位置が一致し、各端面５２ｉ，５２ｊの下側に位置する開口部５２ｄ，５２ｆは、それぞれストレートダクト５１における排気ダクト５１Ｂの開口部５１ｄ，５１ｆ（図４参照）と開口形状及びＺ方向の位置が一致する。
【００４５】
なお、図６及び図７に示したクロスダクト５２を形成するためには、例えば、図８に示すように、傾斜流路５２ｇの左側面を開口させた右側部位５２Ｒ、及び傾斜流路５２ｈの右側面を開口させた左側部位５２Ｌを射出成型等により形成した後、右側部位５２Ｒと左側部位５２Ｌとを、２つの傾斜流路５２ｇ，５２ｈを隔てるための仕切板５２Ｓを挟んで貼り合わせるようにすればよい。
【００４６】
図９は、プロジェクタ１の吸気口５及び排気口６の周辺構造を示す側断面図であり、フィルタ４１，４２とファン３１，３２との間にクロスダクト５２を介在させた状態を示している。
図９に示すように、フィルタ４１，４２とファン３１，３２との間にクロスダクト５２を介在させた状態で吸気ファン３１を回転させると、外部の空気は、排気口６から取り入れられ、フィルタ４２を通過した後、クロスダクト５２の吸気ダクト５２Ａを通って吸気流路７ａに移り、高温部に導かれる。また、高温部を冷却した後の空気は、排気ファン３２の作用によりクロスダクト５２に向かって排気流路７ｂを流れ、クロスダクト５２の排気ダクト５２Ｂを通ってフィルタ４１に向けて吹き付けられる。これにより、空気はフィルタ４１を通過して吸気口５から排出され、これに伴って、フィルタ４１の外面に蓄積していた塵埃、吸気口５の外側に飛散する。つまり、プロジェクタ１は、フィルタ４１，４２とファン３１，３２との間に介在するストレートダクト５１を、クロスダクト５２に切り換えることによってフィルタ４１の清掃を行うことができる。
【００４７】
図１０は、ストレートダクト５１とクロスダクト５２とを切り換えるための駆動機構を示す図であり、ストレートダクト５１及びクロスダクト５２を前方（ファン側）から見た正面図である。また、図１１は、本実施形態のプロジェクタ１の回路構成を示すブロック図である。
図１０に示すように、左右に並んで配設されるストレートダクト５１及びクロスダクト５２の下面には、双方にまたがって±Ｘ方向に延在するラック５３が備えられ、このラック５３には、駆動モータ５４の回転軸に固定されたピニオン５５が噛合されている。この駆動モータ５４は、筐体２に固定されており（図４、図９参照）、駆動モータ５４の回転駆動によってストレートダクト５１及びクロスダクト５２を筐体２に対して左右方向（±Ｘ方向）にスライドさせることができる。
【００４８】
図１１に示すように、駆動モータ５４は、制御部２０に接続されており、制御部２０の指示に応じて回転駆動を行うようになっている。制御部２０は、ユーザにより操作部２２やリモコンＲＣのフィルタクリーニングボタンが操作された場合、或いは、前回フィルタ４１を清掃してからの累積使用時間が所定の時間を超過した場合等に、フィルタ４１の清掃を実施する。具体的には、制御部２０は、フィルタ４１，４２とファン３１，３２との間にストレートダクト５１が介在している状態で、駆動モータ５４を回転させてストレートダクト５１及びクロスダクト５２をスライドさせ、フィルタ４１，４２とファン３１，３２との間にクロスダクト５２を介在させる。これにより、フィルタ４１の清掃が開始される。制御部２０は、所定時間（例えば、１０秒程度）クロスダクト５２を介在させた後、駆動モータ５４を逆方向に回転させることにより、フィルタ４１，４２とファン３１，３２との間にストレートダクト５１が介在する状態に復帰させ、温度センサ３４の検出温度に応じたファン制御を再開する。
【００４９】
なお、ストレートダクト５１は、本発明の第１のダクト群に相当し、ストレートダクトの吸気ダクト５１Ａ及び排気ダクト５１Ｂは、それぞれ本発明の第１の吸気ダクト及び第１の排気ダクトに相当する。また、クロスダクト５２は、本発明の第２のダクト群に相当し、クロスダクト５２の吸気ダクト５２Ａ及び排気ダクト５２Ｂは、それぞれ本発明の第２の吸気ダクト及び第２の排気ダクトに相当する。また、ストレートダクト５１とクロスダクト５２とを切り換えるための駆動機構を構成する駆動モータ５４、ラック５３及びピニオン５５、並びに駆動モータ５４を制御する制御部２０が本発明の通気切換部に相当する。
【００５０】
以上説明したように、本実施形態のプロジェクタ１によれば、以下の効果を得ることができる。
本実施形態のプロジェクタ１によれば、ストレートダクト５１をクロスダクト５２に切り換えることによって吸気口５から冷却後の空気が排出されるため、吸気ファン３１を逆回転させることなく、さらに、機器内の空気の進行方向を逆転させることなくフィルタ４１に蓄積した塵埃を除去することが可能となる。さらに、このプロジェクタ１によれば、フィルタ４１を清掃するために新たなファンを備える必要がないため、清掃中のファンの回転による騒音を抑制することが可能となる。
【００５１】
（変形例）
なお、本発明の実施形態は、以下のように変更してもよい。
前記第２実施形態において、ストレートダクト５１及びクロスダクト５２は、ファン側端面５２ｉ及びフィルタ側端面５２ｊの双方に、開口形状が略正方形の２つの開口部を備えた直方体形状を有しているが、ストレートダクト５１、クロスダクト５２、及びこれらの開口部の開口形状は、前記に限定されない。例えば、ストレートダクト５１及びクロスダクト５２を略円筒状とし、開口部の開口形状を略半円形状とすることも可能である。
【００５２】
図１２（ａ）〜（ｃ）は、ストレートダクト５１及びクロスダクト５２を示す図であり、（ａ）は、前方（ファン側）から見た正面図、（ｂ）は、その平面図、（ｃ）は、背面図である。また、図１３（ａ）〜（ｃ）は、それぞれ図１２（ｂ）におけるＡ−Ａ断面図、Ｂ−Ｂ断面図、Ｃ−Ｃ断面図である。
図１２（ａ）〜（ｃ）及び図１３（ａ）〜（ｃ）に示すように、ストレートダクト５１及びクロスダクト５２は、それぞれ円筒状の筒状体５１Ｔ，５２Ｔと、その内部の空間を仕切る仕切板５１Ｓ、５２Ｓによって構成されている。ストレートダクト５１の仕切板５１Ｓは、平板状であり、ファン側端面５１ｉからフィルタ側端面５１ｊにかけて略水平な状態で備えられ、筒状体５１Ｔの内部の空間を上下に二分している。一方、クロスダクト５２の仕切板５２Ｓは、ファン側端面５２ｉ及びフィルタ側端面５２ｊでは水平であるが、図１３（ａ）〜（ｃ）に示すように、ファン側端面５２ｉからフィルタ側端面５２ｊにかけて時計回りに半回転ねじれた形状になっている。このため、ファン側端面５２ｉの上側（＋Ｚ側）の開口部５２ｃは、フィルタ側端面５２ｊの下側（−Ｚ側）の開口部５２ｆと連通し、ファン側端面５２ｉの下側（−Ｚ側）の開口部５２ｄは、フィルタ側端面５２ｊの上側（＋Ｚ側）の開口部５２ｅと連通する。
【００５３】
クロスダクト５２をこのような態様とすることにより、クロスダクト５２内における流路の断面形状を、常に同一（半円形）とすることができる。このため、クロスダクト５２内の空気の移動を安定させることが可能となる。
【００５４】
なお、図１４（ａ）に示すように、開口部５２ｃと開口部５２ｆとを連通する吸気ダクト５２Ｐと、開口部５２ｄと開口部５２ｅとを連通する排気ダクト５２Ｑとを別体で構成し、図１４（ｂ）に示すように、これらを組み合わせてクロスダクト５２を形成するようにしてもよい。
【００５５】
また、前記第２実施形態では、ストレートダクト５１とクロスダクト５２とを切り換えるための駆動機構として、ラック５３及びピニオン５５を用いた構成を示しているが、駆動機構は前記に限定されず、例えば、往復スライダクランク機構等を用いることが可能である。
【００５６】
前記第１及び第２実施形態では、本発明をプロジェクタ１に適用した場合の例を説明しているが、冷却を要する電子機器であれば、他の電子機器に適用することも可能である。
【図面の簡単な説明】
【００５７】
【図１】第１実施形態のプロジェクタの斜視図であり、（ａ）は、前方より見た図、（ｂ）は、後方より見た図。
【図２】第１実施形態のプロジェクタの回路構成を示すブロック図。
【図３】第１実施形態のプロジェクタの吸気口及び排気口の周辺構造を示す側断面図であり、（ａ）は、通常動作中の空気の流れを示す図、（ｂ）は、フィルタ清掃中の空気の流れを示す図。
【図４】第２実施形態のプロジェクタの吸気口及び排気口の周辺構造を示す側断面図。
【図５】（ａ）、（ｂ）は、の第２実施形態のプロジェクタの部分平面図。
【図６】クロスダクトを示す図であり、（ａ）は、前方（ファン側）から見た正面図、（ｂ）は、側面図、（ｃ）は、背面図。
【図７】（ａ）〜（ｄ）は、それぞれ図６（ａ）におけるＡ−Ａ断面図、Ｂ−Ｂ断面図、Ｃ−Ｃ断面図、Ｄ−Ｄ断面図。
【図８】クロスダクトの分解斜視図。
【図９】第２実施形態のプロジェクタの吸気口及び排気口の周辺構造を示す側断面図であり、フィルタとファンとの間にクロスダクトを介在させた状態を示す図。
【図１０】ストレートダクトとクロスダクトとを切り換えるための駆動機構を示す図であり、ストレートダクト及びクロスダクトを前方（ファン側）から見た正面図。
【図１１】第２実施形態のプロジェクタの回路構成を示すブロック図。
【図１２】（ａ）〜（ｃ）は、変形例に係るストレートダクト及びクロスダクトを示す図であり、（ａ）は、前方（ファン側）から見た正面図、（ｂ）は、その平面図、（ｃ）は、背面図。
【図１３】（ａ）〜（ｃ）は、それぞれ図１２（ｂ）におけるＡ−Ａ断面図、Ｂ−Ｂ断面図、Ｃ−Ｃ断面図。
【図１４】変形例に係るクロスダクトを示す図であり、（ａ）は、分解斜視図、（ｂ）は、組み立て後の状態を示す斜視図。
【符号の説明】
【００５８】
１…プロジェクタ、２…筐体、３…接続端子、４…電源端子、５…吸気口、５ａ…ガイド板、６…排気口、６ａ…ガイド板、７ａ…吸気流路、７ｂ…排気流路、８…境界部、８ａ…開口部、１０…映像投写部、１１…光源部、１２…液晶ライトバルブ、１３…投写レンズ、２０…制御部、２１…記憶部、２２…操作部、２３…操作信号受信部、２４…映像信号入力部、２５…映像信号処理部、２６…ライトバルブ駆動部、２８…電源装置、２８ａ…電源部、２８ｂ…バラスト部、３１…吸気ファン、３２…排気ファン、３３…ファン制御部、３４…温度センサ、３５…クリーニングブロア、３５ａ…吸気口、３５ｂ…排気口、４１，４２…フィルタ、５１…ストレートダクト、５１Ａ…吸気ダクト、５１Ｂ…排気ダクト、５１ｃ，５１ｄ，５１ｅ，５１ｆ…開口部、５１ｉ…ファン側端面、５１ｊ…フィルタ側端面、５２…クロスダクト、５２Ａ…吸気ダクト、５２Ｂ…排気ダクト、５２ｃ，５２ｄ，５２ｅ，５２ｆ…開口部、５２ｇ，５２ｈ…傾斜流路、５２ｉ…ファン側端面、５２ｊ…フィルタ側端面、５３…ラック、５４…駆動モータ、５５…ピニオン、ＲＣ…リモコン、ＳＣ…スクリーン。
【図１】
2008170666.tif 000003
【図２】
2008170666.tif 000004
【図３】
2008170666.tif 000005
【図４】
2008170666.tif 000006
【図５】
2008170666.tif 000007
【図６】
2008170666.tif 000008
【図７】
2008170666.tif 000009
【図８】
2008170666.tif 000010
【図９】
2008170666.tif 000011
【図１０】
2008170666.tif 000012
【図１１】
2008170666.tif 000013
【図１２】
2008170666.tif 000014
【図１３】
2008170666.tif 000015
【図１４】
2008170666.tif 000016